(57)【要約】【課題】  ニードルヘッドを安定させ、内部のコンポネットの汚染を防止し、多種の装置への対応が可能なまゆ又は体のいれずみ装置のニードルソケット構造を提供する。【解決手段】  主に、いれずみ装置２及びいれずみニードル３から組成される。いれずみ装置２の先端には、ニードルソケット２１を含む。ニードルソケット２１の主要特徴はニードルソケット入口２１１が正三角形の造形されている。その適当な箇所に、上へ４５度の傾斜角を削るので、いれずみニードルが人体の皮膚に接近するときの状況が利便に観察可能で、いれずみの動作にとって有利だといえる。また、ニードルソケット２１の側に、少なくとも、内外を連通する開放の通気孔２１２が設けられているので、ニードルソケット２１の内外の圧力が平衡に保たれる。【選択図】    図３
0003103679.tif 000002
【実用新案登録請求の範囲】
【請求項１】
まゆ又は体のいれずみ装置のニードルソケット構造であって、
いれずみ装置及びいれずみニードルから組成され、いれずみ装置の先端には、ニードルソケットを含み、
ニードルソケットは、ニードルソケット入口が正三角形に造形され、その適当な箇所に、上へ４５度の傾斜角が削られ、ニードルソケットの側に、少なくとも、内外を連通する開放の通気孔が設けられ、これにより規格化の円形針は接線のように又は配列針のように、最長辺にもたれる形式になり、ニードルヘッドの位置は安定的に保持されることを特徴とするまゆ又は体のいれずみ装置のニードルソケット構造。
【請求項２】
ニードルソケットの入口は台形の構造を採用することも可能であることを特徴とする請求項１記載のまゆ又は体のいれずみ装置のニードルソケット構造。
【考案の詳細な説明】
【技術分野】
【０００１】
本考案は、まゆ又は体のいれずみ装置のニードルソケット構造に関する。
【背景技術】
【０００２】
従来から、既存のいれずみ装置は大体、図1に示すように、いれずみ装置11及びいれずみニードル１２から構成される。いれずみ装置の先端に、ほぼ使ったあとで棄てるニードルソケット１１１が設けられる。いれずみニードル１２はいれずみ装置１１の内部におけるレバー１１２の先端に挿入される。（図２ａを御参照）。いれずみ装置１１の偏心軸機構を経由して、レバー１１２を駆動させるので、いれずみニードル１２は往復のように運動している。カラー原料をつけたあとで、人体の皮膚にタッチし、いれずみをして、いれずみの効果を達成する。
【考案の開示】
【考案が解決しようとする課題】
【０００３】
しかしながら、いれずみニードル１２とニードルソケット１１１がいつも相対的に運動し、しかも、カラー原料が有利にニードルソケット１１１に滲むためには、図２に示すように、いれずみニードル１２とニードルソケット１１１との間に、適当なギャップを保持なければならない。その結果、いれずみニードル１２が安定にもたれないので、いれずみ装置が運転しているうちに、いつも大きな振動波が出て来て、ニードルヘッドがいれずみをするときの安定度に影響を及ぼし、いれずみの効果が絶対的に、悪く影響される。一方、被覆のニードルソケット１１１がいれずみニードル１２の内へ縮められるときに、内部の正方向圧力を大きくさせるため、カラー原料が頻繁的に、予期ではなくて、噴出される。また、いれずみニードル１２が外へ伸ばされるときに、カラー原料が上へ吸われ、内部のコンポネットを汚染させながら、いれずみ装置の寿命を短縮させ、病毒の伝播のソースになる。さらに、いれずみニードルは直線排列のニードルがある。前者の断面とが異なるので、他の形式の装置へ変更しなければならない。結局、多種のいれずみ装置を用意すれば、不経済だと分かる。
【０００４】
したがって本考案の目的は、ニードルヘッドを安定させ、内部のコンポネットの汚染を防止し、多種の装置への対応が可能なまゆ又は体のいれずみ装置のニードルソケット構造を提供することにある。
【課題を解決するための手段】
【０００５】
上述の目的を達成するために、本考案の請求項に記載のまゆ又は体のいれずみ装置のニードルソケット構造は、ニードルソケットの入口は正三角形の造形である。それで、規格化の円形針は接線のように又は排列針のように、最長辺にもたれるという形式になるので、伸縮、作動しても、ニードルヘッドの位置は安定的に保持可能である。
【０００６】
また、ニードルソケットの側に設ける循環の通気孔を経由して、ニードルソケットの内外圧力が平衡に保たれ、カラー原料の出入がスムーズになって、いれずみの効率、効果を向上可能である。
【考案を実施するための最良の形態】
【０００７】
以下、本考案の実施例を図面に基づいて説明する。
図３に示すように、本考案の実施例によるまゆ又は体のいれずみ装置のニードルソケット構造は主に、いれずみ装置２及びいれずみニードル３から組成される。いれずみ装置２の先端には、ニードルソケット２１を含む。ニードルソケット２１の主要特徴はニードルソケット入口２１１が正三角形の造形されている。その適当な箇所に、上へ４５度の傾斜角を削るので、いれずみニードルが人体の皮膚に接近するときの状況が利便に観察可能で、いれずみの動作にとって有利だといえる。また、ニードルソケット２１の側に、少なくとも、内外を連通する開放の通気孔２１２が設けられているので、ニードルソケット２１の内外の圧力が平衡に保たれる。
【０００８】
図４に示すように、いれずみニードル３はレバー２２の先端に入るときに、ニードルソケットとの関係が見える。本実施例において円形のニードルビーム３１を採用すれば、円形のニードルビーム３１が三角形のニードルソケットの入口２１１の三辺と、接線形式のように形成される。（図５ａ参照）。ニードルヘッドを固定の位置に制限させるので、いれずみニードルが作動しても、ゆれ動かさないばかりでなく、騒音も出ない。それに対して、本実施例で排列針３２を採用すれば、排列針３２が三角形のニードルソケットの入口２１１の最長辺にもたれるように形成される。そして、排列針が長辺の対角位置へ移動できず、ニードルヘッドの位置を安定に保持する。また、いれずみニードル３とニードルソケットの入口２１１との間に、優れたギャップを持つ以外、ニードルソケット２１の側における通気孔２１２の補助で、カラー原料がスムーズに流れて、随意に噴出するという欠陥がない。
【０００９】
最後に、図６に示すように、本考案のニードルソケットのもう一つ実施例は、本来正三角形のニードルソケットの入口の上方を削って、台形の構造に成形している。同様に、排列針を安定に保持する効果も達成される。
【００１０】
前述のコンポネットのアセンブリ構造及び優れた実施例の説明をまとめると、本案は次の利点がある。
（ア）本考案により、ニードルソケットの入口は正三角形の造形である。それで、規格化の円形針は接線のように又は排列針のように、最長辺にもたれるという形式になるので、伸縮、作動しても、ニードルヘッドの位置は安定的に保持され、いれずみの精密度、安定度を向上させる。
【００１１】
（イ）ニードルソケットの入口は正三角形の造形で、数多の形式のいれずみニードルに適用可能で、製品の価値を向上せ、生産のコストを低降させる。
【００１２】
（ウ）本考案により、ニードルソケットの側に、通気孔が設けられるので、ニードルソケットの内外圧力の平衡が保たれ、カラー原料がスムーズに出入し、大幅に、いれずみの効率、効果を向上させ、いれずみ装置の使用寿命を延長させる。
【図面の簡単な説明】
【００１３】
【図１】既存のいれずみ装置の構造を示す説明図である。
【図２ａ】既存のいれずみ装置の局部を示す断面図である。
【図２ｂ】既存のいれずみ装置のニードルソケット及びいれずみニードルの側面を示す説明図である。
【図３】本考案の実施例によるまゆ又は体のいれずみ装置のニードルソケット構造を示す図である。
【図４】本考案の局部を示す断面図である。
【図５ａ】本考案の実施例によるまゆ又は体のいれずみ装置のニードルソケット構造のニードルソケットの前面を示す図である。
【図５ｂ】本考案の実施例によるまゆ又は体のいれずみ装置のニードルソケット構造のニードルソケットの前面を示す図である。
【図６ａ】本考案のニードルソケットの入口を示すもう一つの実施例の局部の立体図である。
【図６ｂ】本考案のニードルソケットの入口を示すもう一つの実施例の前面図である。
【符号の説明】
【００１４】
２  いれずみ装置、３  いれずみニードル、２１  ニードルソケット、２２  レバー、３１  円形ニードルビーム、３２  排列針、２１１  ニードルソケットの入口、２１２  通気孔
【図１】
0003103679.tif 000003
【図２ａ】
0003103679.tif 000004
【図２ｂ】
0003103679.tif 000005
【図３】
0003103679.tif 000006
【図４】
0003103679.tif 000007
【図５ａ】
0003103679.tif 000008
【図５ｂ】
0003103679.tif 000009
【図６ａ】
0003103679.tif 000010
【図６ｂ】
0003103679.tif 000011